(57)【要約】      （修正有）【課題】表示性能に優れた表示切替装置を提供する。【解決手段】表示切替装置は、第１及び第２光源と、第１光源からの光のうち第１の偏光方向の光を透過させる第１光源側偏光板と、第２光源からの光のうち第１の偏光方向と直交する第２の偏光方向の光を透過させる第２光源側偏光板と、第１表示マーク部を表示させる第１表示用偏光板２０と、第２表示マーク部を表示させる第２表示用偏光板３０と、第１及び第２表示用偏光板２０，３０によって表示される第１及び第２表示マーク部を表示する表示部と、第１及び第２光源を収容するケースと、を備え、第１表示領域２２又は第２表示領域３２のうち少なくとも何れか一方の領域には、偏光機能を有する偏光部と、偏光機能が消失した非偏光部とが混在する第１及び第２混在部２４，２５が形成されている。【選択図】図２
2018185365.tif 000002
【特許請求の範囲】
【請求項１】
第１の偏光方向を有する光と、前記第１の偏光方向とは異なる第２の偏光方向を有する光を発する光源部と、
前記第１の偏光方向の光を透過させて第１表示マーク部を表示させる第１表示領域を有する第１偏光板と、
前記第２の偏光方向の光を透過させて第２表示マーク部を表示させる第２表示領域を有し、前記第１表示領域と前記第２表示領域とが少なくとも一部が重複するように設けられた第２偏光板と、を備え、
前記第１表示領域及び前記第２表示領域のうち少なくとも何れか一方の領域の少なくとも一部には、偏光機能を有する偏光部と、偏光機能が消失した非偏光部とが混在する混在部が形成されている、
表示切替装置。
【請求項２】
前記混在部の前記偏光部が、所定のピッチで形成されている、
請求項１に記載の表示切替装置。
【請求項３】
前記混在部が、前記第１表示領域及び前記第２表示領域の重複する部分に形成されている、
請求項１又は２に記載の表示切替装置。
【請求項４】
前記混在部が、前記第１表示領域及び前記第２表示領域のそれぞれの領域の全体に形成されている、
請求項１又は２に記載の表示切替装置。
【請求項５】
前記混在部の前記非偏光部が、前記所定のピッチで１次元の短冊状に形成されている、
請求項２乃至４の何れか１項に記載の表示切替装置。
【請求項６】
前記混在部の前記非偏光部が、前記所定のピッチで２次元の格子状に形成されている、
請求項２乃至４の何れか１項に記載の表示切替装置。
【発明の詳細な説明】
【技術分野】
【０００１】
本発明は、表示切替装置に関する。
【背景技術】
【０００２】
従来の技術として、隔壁で仕切られたケースに配置され、互いに偏光方向の異なる光を発光する２つの光源と、各光源からの偏光方向の光の各々を通過する２つの偏光板と、各偏光板を通過した光の各々の偏光方向を有する偏光板にて形成され、提示する情報として表示図形を形成する情報呈示板とを備え、発光する光を切り替えることで提示する情報を切り替える表示切替装置が知られている（例えば、特許文献１参照）。
【０００３】
この表示切替装置によれば、相異なる図形等を表示切換えできるものであるため、表示面のスペースが少なくてすみ、従来の同一目的の表示切換灯に比較して簡単な構成で明瞭な表示が得られるとされている。
【先行技術文献】
【特許文献】
【０００４】
【特許文献１】実開昭６１−２５００２号公報
【発明の概要】
【発明が解決しようとする課題】
【０００５】
しかし、特許文献１の表示切替装置では、２つの偏光板の表示図形が重なり合う部分の透過率が高くなるので、当該重なり合う部分の透過率と重なり合う部分以外の表示図形の透過率との差が大きくなり、表示図形内において輝度ムラが生じるという問題があった。
【０００６】
したがって、本発明の目的は、輝度ムラを抑制することで表示性能に優れた表示切替装置を提供することにある。
【課題を解決するための手段】
【０００７】
本発明は、上記目的を達成するため、第１の偏光方向を有する光と、前記第１の偏光方向とは異なる第２の偏光方向を有する光を発する光源部と、前記第１の偏光方向の光を透過させて第１表示マーク部を表示させる第１表示領域を有する第１偏光板と、前記第２の偏光方向の光を透過させて第２表示マーク部を表示させる第２表示領域を有し、前記第１表示領域と前記第２表示領域とが少なくとも一部が重複するように設けられた第２偏光板と、を備え、前記第１表示領域及び前記第２表示領域のうち少なくとも何れか一方の領域の少なくとも一部には、偏光機能を有する偏光部と、偏光機能が消失した非偏光部とが混在する混在部が形成されている、表示切替装置を提供する。
【発明の効果】
【０００８】
本発明によれば、表示性能に優れた表示切替装置を提供することができる。
【図面の簡単な説明】
【０００９】
【図１】図１（ａ）は、本発明の実施の形態に係る表示切替装置の上平面図であり、図１（ｂ）は、図１（ａ）のＡ−Ａ断面を示す断面図である。
【図２】図２（ａ）は、第１表示用偏光板の上平面図、図２（ｂ）は、図２（ａ）の断面図、図２（ｃ）は、第２表示用偏光板の上平面図、図２（ｄ）は、図２（ｃ）の断面図である。
【図３】図３（ａ）は、第１光源を発光させた場合に第１表示マーク部が表示される状態を示す上平面図であり、図４（ｂ）は、第１光源から照射した光の経路を示す断面図である。
【図４】図４（ａ）は、第２光源を発光させた場合に第２表示マーク部が表示される状態を示す上平面図であり、図５（ｂ）は、第２光源から照射した光の経路を示す断面図である。
【図５】図５は、第１の変形例に係る第１表示用偏光板の上面図である。
【図６】図６（ａ）は、第２の変形例に係る第１表示用偏光板の上平面図、図６（ｂ）は、第２の変形例に係る第２表示用偏光板の上平面図である。
【図７】図７（ａ）は、第３の変形例に係る第１表示用偏光板の上平面図、図７（ｂ）は、第３の変形例に係る第２表示用偏光板の上平面図である。
【発明を実施するための形態】
【００１０】
（実施の形態の要約）
本発明の実施の形態に係る表示切替装置は、第１の偏光方向を有する光と、第１の偏光方向とは異なる第２の偏光方向を有する光を発する光源部と、第１の偏光方向の光を透過させて第１表示マーク部を表示させる第１表示領域を有する第１偏光板と、第２の偏光方向の光を透過させて第２表示マーク部を表示させる第２表示領域を有し、第１表示領域と第２表示領域とが少なくとも一部が重複するように設けられた第２偏光板と、を備えて概略構成されている。また、第１表示領域及び第２表示領域のうち少なくとも何れか一方の領域の少なくとも一部には、偏光機能を有する偏光部と、偏光機能が消失した非偏光部とが混在する混在部が形成されている。
【００１１】
この表示切替装置によれば、第１表示領域及び第２表示領域の双方の領域に混在部が形成されていない場合に比較して、表示性能を向上させることができる。
【００１２】
具体的には、本実施の形態に係る表示切替装置では、第１表示マーク部及び第２表示マーク部のそれぞれの混在部が形成された部分の透過率と、第１表示マーク部が表示されたときにおける前記混在部が形成された部分を除く第１表示マーク部における透過率（あるいは第２表示マーク部が表示されたときにおける前記混在部が形成された部分を除く第２表示領域における透過率）との差が小さくなる。従って、第１表示マーク部または第２表示マーク部が表示されたときの表示マーク内での輝度ムラが抑制される。これにより、表示性能に優れた表示切替装置を提供することができる。
【００１３】
[実施の形態]
（表示切替装置１の概要）
図１（ａ）は、本発明の実施の形態に係る表示切替装置の上平面図であり、図１（ｂ）は、図１（ａ）のＡ−Ａ断面を示す断面図である。なお図１（ａ）では、説明の便宜上、第１表示マーク部と第２表示マーク部との両方を図示している。図２（ａ）は、第１表示用偏光板の上平面図、図２（ｂ）は、図２（ａ）の断面図、図２（ｃ）は、第２表示用偏光板の上平面図、図２（ｄ）は、図２（ｃ）の断面図である。
【００１４】
表示切替装置１は、第１及び第２光源４０，５０と、第１光源４０からの光のうち第１の偏光方向２３の光を透過させる第１光源側偏光板４５と、第２光源５０からの光のうち第１の偏光方向２３と直交する第２の偏光方向３３の光を透過させる第２光源側偏光板５５と、第１表示マーク部２１５を表示させる第１偏光板としての第１表示用偏光板２０と、第２表示マーク部２２５を表示させる第２偏光板としての第２表示用偏光板３０と、第１及び第２表示マーク部２１５，２２５を表示する表示部１０と、第１及び第２光源４０，５０を収容するケース７０と、を備えて概略構成されている。
【００１５】
（表示部１０の構成）
表示部１０は、図１（ａ）及び（ｂ）に示すように、その上面が第１及び第２表示マーク部を表示する表示面１０ａと、第１及び第２表示用偏光板２０，３０を収容する凹部である収容部１０ｂと、を備えている。表示部１０は、例えば、樹脂で形成され、スモーク仕様とされている。収容部１０ｂ内には、第１及び第２表示用偏光板２０，３０が透過する偏光を表示面１０ａに向けて拡散する拡散板１１が装着されている。
【００１６】
表示面１０ａには、図１（ａ）に示すように、表示領域がいくつかの領域に区分されて、マーク、文字等の図形が提示、表示される。以下では、マーク、文字等の図形の提示の一形態として、マーク、文字等の図形の表示として説明する。
【００１７】
表示面１０ａに表示されるマーク、文字等の図形は、第１表示用偏光板２０、第２表示用偏光板３０に形成されたそれぞれの偏光領域と表示領域との組み合わせにより、後述する第１光源４０と第２光源５０の発光切り替え制御に基づいて、表示される。なお変形例として、１つの光源で２つの光源側偏光板を切り替え制御することにより、第１の偏光方向２３を有する光と第２の偏光方向３３を有する光とを生成し、表示を切り替えるようにしてもよい。また別の変形例として、１つの光源で１つの光源側偏光板を回転させることにより、第１の偏光方向２３を有する光と第２の偏光方向３３を有する光とをそれぞれ生成するようにし、表示を切り替えるようにしてもよい。またさらに別の変形例として、所定の偏光方向を選択して光を発するような光源を用い、この光源を２つ設けて表示を切り替えるか、あるいは１つ設けて切り替えるようにしてもよい。
【００１８】
なお、この表示は、上記した拡散板１１を通して表示されることにより均一な光で照明表示されるが、拡散板１１のない構成であってもよい。また、表示部１０は、スモーク仕様とされているので、第１光源４０等により照明表示されていないときは、ブラックアウトした状態である。
【００１９】
図１（ａ）に示すように、共通部１０１は、第１光源４０と第２光源５０の両方の光を透過して表示する領域である。この共通部１０１は、第１表示用偏光板２０と第２表示用偏光板３０の一部分が重複するように設けられており、第１光源４０の発光により表示される第１表示マーク部２１５（後述する図３参照）と第２光源５０の発光により表示される第２表示マーク部２２５（後述する図４参照）において、共通に表示される領域である。
【００２０】
第１領域１０２は、第１光源４０からの光のみが透過し、第２光源５０からの光は透過しない領域である。図１（ａ）において、横方向のハッチングで示す領域である。また、第２領域１０３は、第２光源５０からの光のみが透過し、第１光源４０からの光は透過しない領域である。図１（ａ）において、縦方向のハッチングで示す領域である。また、非表示領域１０４は、第１光源４０及び第２光源５０のどちらからの光も透過しない領域である。図１（ａ）において、縦横方向のクロスハッチングで示す領域である。なお、さらに外側の枠部１０５も非表示領域である。
【００２１】
表示面１０ａには、上記示した共通部１０１、第１領域１０２、第２領域１０３、及び非表示領域１０４の組み合わせにより形成される所定のマーク、文字等の図形が表示される。なお、光の透過、不透過は、所定のマーク、文字等の図形が表示される程度であればよく、透過率が１００％、不透過率が１００％である必要はない。
【００２２】
（ケース７０の構成）
図１（ｂ）に示すように、ケース７０は、筒状に形成されて上端側が開口している。ケース７０の底面には、第１及び第２光源４０，５０が実装された基板９０が配置されている。また、ケース７０の上端側の内面には、筒状のホルダ６０が固定されている。ホルダ６０の外周部６１は、ケース７０の内周部７１に嵌合している。
【００２３】
（第１光源４０の構成）
第１光源４０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第１光源４０としてＬＥＤ光源を使用し、第１光源４０の上方である出射部に第１光源側偏光板４５を配置している。
【００２４】
第１光源４０は、第１光源側偏光板４５により、図２（ａ）に示す第１の偏光方向２３に振動する光を出射する。つまり、第１光源側偏光板４５は、第１光源４０の光のうち第１の偏光方向２３を有する光を生成する。
【００２５】
（第２光源５０の構成）
第２光源５０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第２光源５０としてＬＥＤ光源を使用し、第２光源５０の上方である出射部に第２光源側偏光板５５を配置している。
【００２６】
第２光源５０は、第２光源側偏光板５５により、図２（ｃ）に示す第２の偏光方向３３に振動する光を出射する。つまり、第２光源側偏光板５５は、第２光源５０の光のうち第２の偏光方向３３を有する光を生成する。したがって、第２光源５０から第２光源側偏光板５５を通して出射される光の偏光方向は、第１光源４０から第１光源側偏光板４５を通して出射される光の偏光方向と直交する。
【００２７】
第１光源４０は第１光源側偏光板４５によって第１の偏光方向２３を有する光を発し、第２光源５０は第２光源側偏光板５５によって第２の偏光方向３３を有する光を発する。つまり、第１及び第２光源４０，５０と第１及び第２光源側偏光板４５，５５が、本発明における光源部を構成する。
【００２８】
なお各図面に示された第１光源側偏光板４５及び第２偏光板３０に付された水平方向の線は、第１の偏光方向２３に振動する直線偏光成分のみを透過させることを示している。同様に、第２光源側偏光板５５及び第１偏光板２０に付された垂直方向の線は、第１の偏光方向２３に直交する第２偏光方向３３に振動する直線偏光成分のみを透過させることを示している。
【００２９】
（第１表示用偏光板２０の構成）
第１表示用偏光板２０は、板状の偏光板で形成されている。この第１表示用偏光板２０は、例えば、偏光機能を有する偏光層の上下をそれぞれ保護する保護フイルムで挟んだ偏光板である。偏光層は、例えば、樹脂基板（例えばＴＡＣ層）上に所定のピッチで配置されたアルミ等の金属ワイヤを偏光素子として用いたワイヤグリッド方式の偏光層である。なお、偏光層は、ワイヤグリッド方式に限定されず、例えばＰＶＡ（ポリビニルアルコール）層として形成してもよい。この場合には、ヨウ素色素を吸着させてホウ酸架橋を行ない、乾燥、安定後に、ＰＶＡ層を延伸してヨウ素色素を配向させて偏光性を発現させる。
【００３０】
第１表示用偏光板２０は、図２（ａ）及び（ｂ）に示すように、第１偏光領域２１と、第１表示領域２２と、を有している。
【００３１】
第１偏光領域２１は、偏光機能を有する第２の偏光方向３３を備え、第２の偏光方向３３の偏光と同じ方向に直線偏光された光を透過させる領域である。また、第１偏光領域２１は、この第２の偏光方向３３と直交する方向に直線偏光された第１の偏光方向２３の光は、透過しない。
【００３２】
第１表示領域２２は、第２の偏光方向３３の偏光だけでなく、第１の偏光方向２３の偏光も透過させる領域である。この第１表示領域２２は、例えば、後述する図３（ａ）に示す第１表示マーク部２１５の形状に形成されている。この第１偏光領域２１と第１表示領域２２の形状は、第２表示用偏光板３０との組み合わせにより、所定のマーク、文字等の図形を表示することができる。
【００３３】
ここで、第１表示領域２２は、レーザ光照射等により偏光特性を低下させて表示を形成する領域である。図２（ａ）の拡大図に示すように、第１表示領域２２のうち第２表示領域３２と重複する部分である三角形状のエリア（図１に示す共通部１０１に相当するエリア）には、第２の偏光方向３３の光のみを透過させる偏光機能を有する偏光部２２０（図の黒塗り部分）と、レーザ光照射等により偏光機能が消失された非偏光部２２１（図の白抜き部分）と、を含む第１混在部２４が形成されている。第１混在部２４は、所定のピッチＰで非偏光部２２１が２次元の格子状となるように形成されている。
【００３４】
第１混在部２４の非偏光部２２１は、偏光機能を有さず、偏光状態によらずに光を透過させることができる部位である。ここで、所定のピッチＰとは、隣り合う一対の偏光部同士の間隔であり、例えば６０μｍ以上である。また、第１表示領域２２の第１混在部２４の透過率と第１表示領域２２のうち第１混在部２４を除く部分の透過率との差が１０％未満となるように、偏光部２２０が形成されることが望ましい。第２表示用偏光板３０についても同様である。
【００３５】
第１の変形例として、図５に示すように、第１表示領域２２の第１混在部２４における非偏光部２２１Ａが所定のピッチＰで一次元の短冊状となるように形成されていてもよい。この場合、所定のピッチＰは、例えば４０μｍ以上である。また、図５に示す変形例では、偏光部２２０Ａ及び非偏光部２２１Ａが縦線状に形成されているが、これに限定されず例えば横線状に形成されてもよい。
【００３６】
（第２表示用偏光板３０の構成）
第２表示用偏光板３０も、第１表示用偏光板２０と同様の構成により、板状に形成されている。第２表示用偏光板３０は、表示部１０において第１表示用偏光板２０と一部分が重複するように設けられ、第１の偏光方向２３とは異なる第２の偏光方向３３を有する光が照射されるように構成されている。ここで、第１の偏光方向２３と第２の偏光方向３３は、直交する。
【００３７】
第２表示用偏光板３０は、図２（ｃ）及び（ｄ）に示すように、第１偏光領域３１と、第１表示領域３２と、を有している。
【００３８】
第２偏光領域３１は、偏光機能を有する第１の偏光方向２３を備え、第１の偏光方向２３の偏光と同じ方向に直線偏光された光を透過させる領域である。また、第２偏光領域３１は、この第１の偏光方向２３と直交する方向に直線偏光された第２の偏光方向３３の光は、透過しない。
【００３９】
第２表示領域３２は、第１の偏光方向２３の偏光だけでなく、第２の偏光方向３３の偏光も透過させる領域である。この第２表示領域３２は、例えば、後述する図４（ａ）に示す第２表示マーク部２２５の形状に形成されている。この第２偏光領域３１と第２表示領域３２の形状は、第１表示用偏光板２０との組み合わせにより、所定のマーク、文字等の図形を表示することができる。
【００４０】
ここで、第２表示領域３２は、レーザ光照射等により偏光特性を低下させて表示を形成する領域である。図２（ｃ）の拡大図に示すように、第２表示領域３２のうち第１表示用偏光板２０の第１表示領域２２と重複する部分である三角形状のエリア（図１に示す共通部１０１に相当するエリア）には、第１の偏光方向２３を有する光のみを透過させる偏光機能を有する偏光部３２０と、レーザ光照射等により偏光機能が消失された非偏光部３２１と、を有する第２混在部２５が形成されている。第２混在部２５は、非偏光部３２１が所定のピッチＰで２次元の格子状となるように形成されている。
【００４１】
非偏光部３２１は、偏光機能を有さず、偏光状態によらずに光を透過させることができる部位である。変形例として、第２表示領域２２の全域に非偏光部３２１が所定のピッチＰで設けてもよい。図５で説明した変形例については、第２表示用偏光板３０の第２表示領域３２についても同様である。
【００４２】
（動作）
図３（ａ）は、第１光源４０を発光させた場合に第１表示マーク部２１５が表示される状態を示す上平面図であり、図３（ｂ）は、第１光源４０から照射した光の光軸を示す断面図である。図４（ａ）は、第２光源５０を発光させた場合に第２表示マーク部２２５が表示される状態を示す上平面図であり、図４（ｂ）は、第２光源５０から照射した光の光軸を示す断面図である。
【００４３】
（第１表示マーク部２１５の表示）
第１光源４０を発光させると、図３（ｂ）に示すように、第１光源４０から第１光源側偏光板４５を通して第１の偏光方向２３に振動する光が出射され、第１表示用偏光板２０の第１表示領域２２及び第２表示用偏光板３０の第１偏光領域３１を透過する。これにより、図１（ａ）で示した共通部１０１と第１領域１０２を合わせた第１表示マーク部２１５が、図３（ａ）に示すように表示される。第１表示マーク部２１５以外の領域は、図１（ａ）で示した第２領域１０３と非表示領域１０４と枠部１０５を合わせた第１非表示マーク部２１６として表示されない。
【００４４】
（第２表示マーク部２２５の表示）
第２光源５０を発光させると、図４（ｂ）に示すように、第２光源５０から第２光源側偏光板５５を通して第２の偏光方向３３に振動する光が出射され、第１表示用偏光板２０の第１偏光領域２１及び第２表示用偏光板３０の第２表示領域３２を透過する。これにより、図１（ａ）で示した共通部１０１と第２領域１０３を合わせた第２表示マーク部２２５が図４（ａ）に示すように表示される。第２表示マーク部２１５以外の領域は、図１（ａ）で示した第１領域１０２と非表示領域１０４と枠部１０５を合わせた第２非表示マーク部２２６として表示されない。
【００４５】
以上、図３及び図４において、表示切替装置１の動作について説明したが、特許文献１に記載した表示切替装置の場合には、一般的に、２つの表示マーク部が重なる部分の透過率が、重なる部分以外の透過率よりも高くなるため、表示マーク部内における透過率のバラつきに起因した輝度ムラが生じるという問題がある。
【００４６】
より具体的には、第１表示領域２２及び第２表示領域３２が、それぞれの領域において偏光部２２０，３２０を備えない場合には、例えば第１表示マーク部２１５が表示される際に、第１表示マーク部２１５及び第２表示マーク部２２５の重複する部分（第１表示領域２２と第２表示領域３２の重複する部分）の透過率が、第１表示マーク部２１５内の前記重なり合う部分以外の部分（図１における第１領域１０２に相当する部分）の透過率に対して高くなるため、第１表示マーク部２１５内で輝度ムラが生じることがある。これは第２表示マーク部２２５が表示される場合も同様である。
【００４７】
しかし、本実施の形態によれば、第１表示領域２２の第１混在部２４及び第２表示領域３２の第２混在部２５が、それぞれの領域において偏光機能を有する偏光部２２０，３２０を含んでいるので、偏光部２２０，３２０を含まない構成に比べて、第１表示マーク部２１５及び第２表示マーク部２２５の重なる部分の透過率と、表示マーク内における前記重なる部分以外の透過率との差を小さくすることができる。これにより、表示マーク内の輝度ムラが抑制されて、表示性能が向上する。
【００４８】
（実施の形態の効果）
本実施の形態に係る表示切替装置１は、第１及び第２表示用偏光板２０，３０の第１表示領域２２及び第２表示領域３２が、偏向機能を有する偏光部２２０が所定のピッチＰで形成されているので、上述のように、第１表示マーク部２１５が表示された際に、第１表示領域２２と第２表示領域３２が重複する部分（第１及び第２混在部２４，２５に相当する部分）における透過率と、前記重複する部分を除いた部分における透過率との差を小さくすることができる。従って、第１表示領域２２及び第２表示領域３２にそれぞれ第１及び第２混在部２４，２５が形成されていない場合に比較して、第１表示マーク部２１５（図１（ａ）の共通部１０１及び第１領域１０２に対応する領域）内の輝度ムラが抑制され、表示性能に優れた表示切替装置１を提供することができる。第２表示マーク部２２５が表示される場合についても同様である。
【００４９】
以上、本発明のいくつかの実施の形態及び変形例を説明したが、これらの実施の形態及び変形例は、一例に過ぎず、特許請求の範囲に係る発明を限定するものではない。
【００５０】
例えば上記の実施の形態では、第１及び第２表示用偏光板２０，３０のそれぞれの第１及び第２混在部２４，２５が、第１表示領域２２と第２表示領域３２の重なる部分にのみ形成されていたが、これに限定されるものではない。例えば第２の変形例として、図６（ａ）及び図６（ｂ）に示すように、第１混在部２４が第１表示領域２２の全体に形成されていてもよく、第２混在部２５が第２表示領域３２の全体に形成されていてもよい。
【００５１】
この構成によれば、第１表示マーク部２１５が表示された際に、第１表示領域２２及び第２表示領域３２にそれぞれ第１及び第２混在部２４，２５が全く形成されていない場合に比較して、第１表示領域２２と第２表示領域３２が重複する部分（第１及び第２混在部２４，２５に相当する部分）における透過率と、前記重複する部分を除いた部分における透過率との差を小さくすることができる。つまり、この構成によっても本実施と同様の効果を得ることができる。
【００５２】
また、上記の実施の形態では、第１表示領域２２及び第２表示領域３２のそれぞれの領域において、第１及び第２混在部２４，２５を除いた領域は、第１及び第２の偏光方向２３，３３の双方の偏光を透過させる偏光機能を有さない領域（図２（ａ）及び（ｃ）の白抜き部分）であったが、これに限定されるものではなく、偏光機能を備えていてもよい。
【００５３】
例えば第３の変形例として、図７（ａ）に示すように、第１表示領域２２のうち第１混在部２４を除く部分が第１の偏光方向２３を有した部分（水平方向の線が付された部分）であってもよい。同様に、図７（ｂ）に示すように、第２表示領域３２のうち第２混在部２５を除く部分が第２の偏光方向３３を有した部分（垂直方向の線が付された部分）であってもよい。この構成によっても本実施と同様の効果を得ることが可能である。
【００５４】
また上記実施の形態では、第１表示用偏光板２０及び第２表示用偏光板３０の双方の偏光板に混在部が形成されている場合について説明したが、これに限定されるものではなく、第１表示用偏光板２０及び第２表示用偏光板３０のうち少なくとも何れか一方の偏光板に偏光機能を有する偏光部と偏光機能が消失した非偏光部とが混在した混在部が形成されていればよい。つまり、第１表示領域２２及び第２表示領域３２のうち少なくとも何れか一方の領域に混在部が形成されていてもよい。これによっても、表示マーク内における輝度ムラが抑制される。
【００５５】
これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００５６】
１…表示切替装置，１０…表示部，１０ａ…表示面，１０ｂ…収容部，１１…拡散板，２０…第１表示用偏光板，２１…第１偏光領域，２２…第１表示領域，２３…第１の偏光方向，２４…第１混在部、２５…第２混在部、２１５…第１表示マーク部，２１６…第１非表示マーク部，３０…第２表示用偏光板，３１…第１偏光領域，３２…第２表示領域，３３…第２の偏光方向，２２５…第２表示マーク部，２２６…第２非表示マーク部，４０…第１光源，４５…第１光源側偏光板，５０…第２光源，５５…第２光源側偏光板，６０…ホルダ，６１…外周部，７０…ケース，７１…内周部，９０…基板，１０１…共通部，１０２…第１領域，１０３…第２領域，１０４…非表示領域，１０５…枠部，２２０…偏光部，２２０Ａ…偏光部，２２１Ａ…非偏光部，２２１…非偏光部，３２０…偏光部，３２１…非偏光部
【図１】
2018185365.tif 000003
【図２】
2018185365.tif 000004
【図３】
2018185365.tif 000005
【図４】
2018185365.tif 000006
【図５】
2018185365.tif 000007
【図６】
2018185365.tif 000008
【図７】
2018185365.tif 000009